(57)【特許請求の範囲】
【請求項１】
義歯床と、該義歯床に固定した結合部と、結合部に支持させた咬合部とを備えた義歯用人工臼歯であって、咬合部の下方に円錐台形状の突出部を有し、該突出部に歯軸を植設させ、該歯軸の他端に設けた球体部を、結合部に形成された深めの内包部に、間隙部を設けて上下方向の移動が可能であるように取り付け、該内包部がすり鉢状開口部を有し、前記結合部と咬合部との間に弾性材を介在させてなり、該弾性材は、前記咬合部の突出部の円錐台形状に対応する凹部と、前記内包部のすり鉢状開口部に対応する突出部とを形成されて、前記結合部及び咬合部の全表面に接触状態で配置され、咬合部が結合部に対して圧縮復元及び首振り復元自在としたことを特徴とする義歯用人工臼歯。
【発明の詳細な説明】
【０００１】
【発明の属する技術分野】
本発明は、義歯に関し、更に詳しくは、微妙な高低差や傾斜角度差により発生する咬合不正を防止できる義歯に関する。
【０００２】
【従来の技術】
従来、補綴には義歯、ブリッジ、義歯とブリッジの中間にあたるアタッチメント、或いは骨に直接、植歯するインプラント等の手段がある。
これらの中で、義歯には、生体歯が一本も無い場合に使用する総義歯と、残っている生体歯にクラスプをかけて取り付ける局部義歯がある。
総義歯及び局部義歯のいずれにおいても、その構造は、本来、生体歯が生えている土台である粘膜質の歯槽部に装着する義歯床と、その義歯床に植歯される人工歯とで構成される。
【０００３】
人工歯としてはレジン歯、陶歯、金属歯等があり、これらの１ブロックの人工歯を直接、義歯床に植歯して義歯を得ていた。
ところが、１ブロック型義歯の場合、如何に高精度に製造しても、微妙な高低差や傾斜角度差が生じたり、その結果、咬合圧や咀嚼圧が一箇所に集中する等の問題が発生する。
そこで、これらの解決策として、義歯床と歯槽部間に軟質材を用いる方法が提案されている。
【０００４】
例えばその一つに、特開平１１−７６２６９号に開示されるような、１ブロックの人工歯を固定部と咬合部に分割した分割型に構成し、その間に弾性材を用いて、この弾性材の伸縮により、咬合圧や咀嚼圧の集中を吸収する手段がある。
また、特開平１１−９９１６２号に開示されるように人工歯と義歯床間に弾性材を用いる手段もある。
更には、実開平６−７５４２０号に開示されるように、歯冠部を弾性材を介して歯軸により義歯床に固定する手段等も提案されている。
【０００５】
【発明が解決しようとする課題】
元来、歯槽部に生える正常な生体歯は、上顎部の歯と下顎部の歯が最適な高さと傾斜角を有し、これらが咬合する際、咬合圧や咀嚼圧が一部の歯に集中しない構造となっている。
【０００６】
しかし、補綴に義歯を用いる場合は、咬合する相手側の歯との傾斜角が合わなかったり、人工歯が並列する他の歯よりも微妙に突出しているケースが生ずる。
これを放置すると、咬合する際、或いは食物を咀嚼する際、その咬合圧や咀嚼圧が突出した人工歯に集中して、人工歯やその相手側の歯を摩耗するなどの問題が生ずる。
その結果、人工歯の下の歯槽部に過度の圧力が加わり、疼痛等の発生原因となり、極端には使用に耐えないものとなる。
【０００７】
そこで、義歯製造時、或いは使用による経時変化によって発生する人工歯の傾斜角度差や高低差を解消する手段が必要となる。
この手段としては、上述したように幾つかの提案がなされているが、いずれの提案にも問題がある。
【０００８】
前述の１ブロックの人工歯を固定部と咬合部に分割した分割型とし、その間に弾性材を用いる方法においては、咬合部の固定部に対する固定力は弾性材の強度に依存するために大きい固定力は得られず耐久性に欠けるものである。
更に、歯冠部を弾性材を介して歯台により義歯床に固定する手段においても、同様に歯冠部の歯茎や歯台に対する固定力は弾性材の強度に依存しているため大きい固定力は得られず耐久性にも欠けるものとなる。
【０００９】
また義歯床と人口歯の間に弾性材を用いる方法においても、人口歯の固定力は弾性材の強度に依存するために同様の欠点がある。
更に、これらのいずれの義歯も、主に上下移動による緩衝機能を有するが、積極的に傾斜を許す機能とはなっていない。
以上のように、従来の対応策においては、弾性材を使用することの十分な効果が発揮されていなかった。
【００１０】
本発明は、上記の問題を解決すべくなされたもので、微妙な高低差や傾斜角度差により発生する咬合不正を防止できる義歯を提供するものであり、更なる目的は、義歯床に十分な固定力で取り付けることができ、また耐久性もあり、且つ積極的に傾斜が可能な義歯用人工臼歯を提供することを目的とする。
【００１１】
【問題を解決するための手段】
上記目的を達成するために、鋭意研究した結果、本発明者は、歯軸を設けることにより首振り自在（傾斜自在）になることを見出し、この知見に基づいて本発明を完成させたものである。
【００１２】
即ち、本発明は、（１）、義歯床と、該義歯床に固定した結合部と、結合部に支持させた咬合部とを備えた義歯用人工臼歯であって、咬合部の下方に円錐台形状の突出部を有し、該突出部に歯軸を植設させ、該歯軸の他端に設けた球体部を、結合部に形成された深めの内包部に、間隙部を設けて上下方向の移動が可能であるように取り付け、該内包部がすり鉢状開口部を有し、前記結合部と咬合部との間に弾性材を介在させてなり、該弾性材は、前記咬合部の突出部の円錐台形状に対応する凹部と、前記内包部のすり鉢状開口部に対応する突出部とを形成されて、前記結合部及び咬合部の全表面に接触状態で配置され、咬合部が結合部に対して圧縮復元及び首振り復元自在とした義歯用人工臼歯に存する。
【００１９】
【発明の実施の形態】
本発明の義歯用人工臼歯は、義歯床と該義歯床に固定した結合部と結合部に支持された咬合部とを備える義歯用人工臼歯である。
そして咬合部が結合部に対して弾圧的な上下移動自在（すなわち圧縮復元自在）及び弾圧的な首振り回動自在（すなわち首振り復元自在）となっている。
以下、本発明の実施の形態を、図面に基づき詳細に説明する。
【００２０】
〔第１の実施の形態〕
図１は、第１の実施の形態における義歯用人工臼歯の構造を模式的に示した図である。
図２は、図１のＸ−Ｘ´断面図、また図３は仕上がり外観図を示す。
本実施の形態における義歯用人工臼歯１は、義歯床２に結合部３を固定し、該結合部３は、すり鉢状開口部３２を有する円筒形の内包部３１を有する。
咬合部５は、その下方に円錐台形状の突出部５１を有し、その突出部５１には歯軸６が植設されている（図４参照）。
【００２１】
この場合、突出部５１は歯軸６をより強く支持固定するためのものであり、必ずしも必要ではない。
咬合部５の歯軸６の下端には、球体部６１が形成されており、この球体部６１が前記結合部３の内包部３１に嵌合することで、咬合部５は結合部３に支持される。
ここで球体部６１を内包部３１に嵌合した状態にするには、内包部３１の後部壁を取り外し自在にしてそこから嵌め込む方法等があり、その他の適宜の方法も採用される。
ここではその具体的な方法は省略する。
このような状態では、図５に示すように、咬合部５は結合部３に対して全方向に回動（すなわち首振り回動）自在に支持されたものとなる。
【００２２】
また咬合部５と結合部３との間には弾性材４が設けられており、このため咬合部５は弾圧的に首振り回動が自在となる。
結合部３と咬合部５の間に弾性材４を設けていない状態では、咬合部５は抵抗なく首振り回動や上下移動とを行うことができ使用するには必ずしも充分でないが、このように弾性材４を設けることにより、使用に都合の良い範囲内で高精度の弾圧的な運動を行うことができる。
【００２３】
弾性材４としては、弾圧力を付与できるものであれば使用可能であるが、飲食物や水分等に充分な耐性を有し、人体に無害な医療用シリコン〔例えば、ＶＯＣＯ社（独）製のユフィ・シェルＣ（商品名）〕等を用いることが好ましい。
【００２４】
また、咬合部５、結合部３及び歯軸６の素材としては、セラミック、陶器材、金属材、硬質合成樹脂材等が使用可能である。
ここで、結合部に形成された内包部３１を前記歯軸の球体部６１より大きくして歯軸の動きに自由度を与えるようにすると咬合部５の挙動は、前述のような弾圧的な首振り回動自在となるだけでなく、弾圧的に上下方向にも動き得るものとなる。
【００２５】
例えば、内包部３１に間隙部を設けてやや深めとすることで球体部６１の上下移動を可能にすることもできる（図２の破線参照）。
もっとも、内包部３１全体をやや大きくして球体部６１の上下移動に加え多少の左右移動も可能とすることができる。
咬合部５の首振り運動の傾斜角度は、結合部３の球体部入口に設けたすり鉢状開口部３２の大きさで調節可能であるし（通常、最大３０度程度が好ましい）、上下動の移動範囲は、内包部３１の大きさ、すなわち隙間部３３の深度で調節することが可能である。
【００２６】
本実施の形態では、咬合部５への圧縮力Ｐ１が弾性材４の圧縮、伸張挙動となり、咬合、咀嚼時の咬合部５の最適な圧縮・復元及び首振り・復元運動が保証される。
しかも、これらの挙動は、原則的に歯軸６の球体部６１を支点とした運動となるので大きい横ずれ等の余分な運動が排除され、的確な動きとなる。
【００２７】
図１１は歯列を示したもので、本実施の形態の義歯用人工臼歯１は、図に示すように、歯列方向ｄ１と歯列交叉方向ｄ２の挙動が当然可能であり、また、他の歯より高い位置にある場合や、硬い物を噛んだ場合には適宜な位置まで降下し、圧縮・復元運動を行うことができる。
そして、咬合部５の結合部３に対する取付け力は、弾性材４ではなく歯軸６に依存するため、強度が大となり耐久性も十分担保される。
【００２８】
〔第２の実施の形〕
次に、第２の実施の形態を示す。
図６は、第２の実施の形態における義歯用人工臼歯の構造を模式的に示した図である。
図７は、義歯用人工臼歯の展開図、また図８は、歯軸の植設された咬合部５を示す。
【００２９】
本実施の形態における義歯用人工臼歯１は、義歯床２に結合部３を固定し、該結合部３は歯列交叉方向の四角錐台状開口部３４を備えた円筒形の内包部３１を有する。
咬合部５は、その下方に四角錐台形状の突出部５１を有し、その突出部から歯軸６が植設されている（図８参照）。
【００３０】
また、咬合部５は、歯軸６の下端に形成された球体部６１が結合部に形成された内包部３１に嵌合することで支持される。
また結合部３と咬合部５間には弾性材４が設けられており、この弾性材４の機能は第１の実施の形態と同じである。
【００３１】
この実施の形態では、咬合部５は、その下方に歯列方向に形成された四角錐台形状の突出部５１を有することから、首振り回動方向は、図９に示すように、歯列方向（ｄ１方向）より歯列交叉方向（ｄ２方向）がし易くなることが理解できよう。
【００３２】
また結合部３の内包部入口に設けた四角錐台状開口部３４は、歯列交叉ｄ２方向に伸びる縦長に形成されることから、同様に、首振り回動方向は歯列交叉方向（ｄ２方向）に大きく、歯列方向（ｄ１方向）に小さいものとなる。
また、内包部３１を球体部６１より大きくする、例えば、隙間部３３を設けることで、咬合部５の上下動が可能となる。
【００３３】
ここで、第１の実施の形態における義歯用人工臼歯１と第２の実施の形態における義歯用人工臼歯１とを比較すると、前者においては、前述したように咬合部５の突出部が５１が円錐台形状に形成され、しかも、結合部３はすり鉢状開口部３２となっているので、咬合部５は全ての方向への首振りの自由度が均等に確保される。
【００３４】
これに対し、後者は、前述したように咬合部５の突出部５１が四角錐台形状で、しかも結合部３は歯列交叉方向の四角錐台状開口部３４となっており、咬合部５の方向性の強い傾斜運動が可能である。
すなわち、首振り回動の自由度は歯列交叉方向ｄ２が大きく、歯列方向ｄ１はそれより小さくなる。
【００３５】
以上、本発明についてその詳細を説明したが、本義歯用人工臼歯１は、これらの実施例に限定されることなく、その本質から逸脱しない範囲で他の変形、組合わせが可能であることは言うまでもない。
【００３６】
例えば、咬合部５の突出部の形状は、図１０（Ａ）に示すようにお椀型形状に、図１０（Ｂ）に示すように、四角錐台形状に、或いは図１０（Ｃ）に示すようにを蒲鉾型形状にと応用変形が可能である。
【００３７】
また咬合部の突出部５１や結合部の開口部３４の形状を変更させることと、弾性材の弾性度を変えること、弾性材の厚みを変えること等の、適宜、組み合わせにより多様な挙動の義歯用人工臼歯１を得ることが可能である。
また、歯軸６は咬合部５に植設されたものとして例示したが咬合部５と一体化したものであってもよい。
【００３８】
また、内包部に隙間部を設けないで、上下移動を行わないようにすることも当然可能である。
更にまた、本義歯用人工臼歯１は骨に直接、植歯するインプラント技法等にも充分応用可能であることは言うまでもない。
【００３９】
【発明の効果】
本発明によれば、生体歯と義歯、或いは義歯同士の咬合圧や咀嚼圧の適正な分散を得ることができる。
また、咬合部５の結合部３に対する取付け力は、弾性材４ではなく歯軸６に依存するため、強度が大となり耐久性も十分担保される。
【００４０】
本発明の義歯用人工臼歯１は、義歯床と該義歯床に固定した結合部と結合部に支持させた咬合部とを備えた義歯用人工臼歯であって、咬合部に歯軸を突設させ、歯軸を結合部に回動自在に取り付け、該結合部と咬合部との間に弾性材を介在させた構造となっているので、咬合部５の自由な首振り運動や、上下運動が可能であり、しかも歯軸６により横ずれが防止でき、咬合の際や、咀嚼時に適宜な咬合面の傾斜が得られ、使用者の歯肉への過度の衝撃が回避できる。
【００４１】
本発明の義歯用人工臼歯１において、結合部３にすり鉢形状、或いは四角錐台形状開口部３２、３４が設けられている場合には、咬合部５の最大首振り自由度が限定確定され、咀嚼時の大きな衝撃に対して、咬合部が必要以上に傾斜するなどの問題が回避できる。
【００４２】
本発明の義歯用人工臼歯１において、内包部は歯軸の球体部の上下方向の移動が可能であるように形成されている場合には、咬合部５への圧縮力を充分吸収でき、上下運動を自在にし得る効果が得られる。
【図面の簡単な説明】
【図１】図１は、第１実施の形態に係る義歯用人工臼歯の構造を示す模式図である。
【図２】図２は、第１の実施の形態に係る義歯用人工臼歯の模式図の断面図である。
【図３】図３は、義歯用人工臼歯の外観図である。
【図４】  図４は、歯軸の植設された咬合部を示す。
【図５】図５は、咬合部の結合部の首振り回動を示す図である。
【図６】図６は、第２実施の形態に係る義歯用人工臼歯の構造を示す模式図である。
【図７】図７は、第２の実施の形態に係る義歯用人工臼歯の義歯用人工臼歯の展開図、
【図８】図８は、歯軸の植設された咬合部を示す。
【図９】図９は、咬合部の結合部の首振り回動を示す図である。
【図１０】図１０は、他の実施の形態に係る各咬合部の外観図である。
【図１１】図１１は、歯列を示す図である。
【符号の説明】
１…義歯用人工臼歯
２…義歯床
３…結合部
３１…内包部
３２…すり鉢状開口部
３３…隙間部
３４…四角錐台状開口部
４…弾性材
５…咬合部
５１…突出部
６…歯軸
６１…球体部
ｄ１…歯列方向
ｄ２…歯列交叉方向
Ｐ１…圧縮力
【図１】
0004497668.tif 000002
【図２】
0004497668.tif 000003
【図３】
0004497668.tif 000004
【図４】
0004497668.tif 000005
【図５】
0004497668.tif 000006
【図６】
0004497668.tif 000007
【図７】
0004497668.tif 000008
【図８】
0004497668.tif 000009
【図９】
0004497668.tif 000010
【図１０】
0004497668.tif 000011
【図１１】
0004497668.tif 000012